Podtech/llm-jp-corpus-v4-ja_patent huggingface dataset:
(57)【要約】      （修正有）【課題】シートベルトの固定点を２点とし、ブラケットを使用することにより、シートベルトの装着位置高さを調整可能とすることで、床面に対して平行にシートベルトが装着可能となり、身長差による装着の違和感を解消させることができるシートベルトを提供する。【解決手段】シートベルト２−７の取り出し口兼固定点２−１を２点とし、前記取り出し口兼固定点の位置はシートに着座したときの腰付近とし、背もたれの両側にブラケット２−５，２−６をボルト等で強固に取り付ける。ブラケットには複数個所に、シートベルトを掛ける溝を設け、前記溝は下から上方向に角度をつけて設ける。この溝にシートベルトを掛けて利用することで、身長に合せて高さ調整可能にシートベルト２−７を装着することができる。【選択図】図２
0003164645.tif 000002
【実用新案登録請求の範囲】
【請求項１】
シートベルトの取り出し口兼固定点を２点とし、前記取り出し口兼固定点の位置はシートに着座したときの腰付近とし、背もたれの両側にブラケットを取り付け、前記ブラケットには複数個所に、シートベルトを掛ける溝を設け、前記溝は下から上方向に角度をつけて設けることを特徴とするシートベルト。
【考案の詳細な説明】
【技術分野】
【０００１】
本考案はシートベルトに関する。
【背景技術】
【０００２】
現在の例えば車両用のシートベルトは、図１の様に運転者の右肩から左腰部に斜めに使用している為首の部分に触れてしまい、違和感があり又上半身の自由が制限されることにより、運転中に煩わしさを感じる。又シートベルトの取り出し点が上部に、固定されて身長に対しての配慮がされていない為に、万人向けになって居ない。
【０００３】
実開平2000−142315のシートベルトの2点式の構成について記載があるが、本考案とは次の点で技術的に相違する。まず、シートベルトの長さを設定すれば、乗車中はシートベルトの長さが固定されているが、本考案では、緊急時以外のシートベルトの長さは、自在であり上半身の動きは容易である。次に、緊急時の衝撃は、座席と補助金具で受ける様になっているが、本考案では、従来通り車体に内蔵されている機械的な装置で、受け止めている。最後に補助金具は、それ自身で衝撃を受ける為、かなりの剛性が必要になり又、シートベルトを固定する為に突起物を設けなくてはならないが、本考案のブラケット(補助金具)は単にシートベルトをガイドする為だけなので強度も突起物も必要としない。以上の様な相違点が見られる為、目的は同じでも手法については大きな差異を見る事が出来る。
【先行技術文献】
【特許文献】
【０００４】
【特許文献１】実開平２０００−１４２３１５号公報
【考案の概要】
【考案が解決しようとする課題】
【０００５】
現在のシートベルトは、図１に示す様に左肩の上部からシートべルトを取り出して、右側の腰部で、左側腰部に固定してある接続器具を利用して固定する３点式である為に、身長差に依って装着した時の違和感を解消するための固定具を提供することを課題とする。
【課題を解決するための手段】
【０００６】
本考案では、シートベルトの固定点を２点とし、ブラケットを使用することにより、シートベルトの装着位置高さを調整可能とすることで、床面に対して平行にシートベルトが装着可能となり、身長差による装着の違和感を解消させる事を特徴とする。
【考案の効果】
【０００７】
本考案は、シートベルトの取り出し口の高さを、シートに着座したときの腰付近として、背もたれの両側に高さを調整できるブラケットを取り付ける事により、運転者の身長の高低に対応する事で、首回りの違和感や上半身の動きに制限がなくなり、より快適に装着、運転する事が出来る。
【図面の簡単な説明】
【０００８】
【図１】従来のシートベルトの装着した状態を示す斜視図
【図２】本考案のシートベルトの装着した状態の斜視図とブラケット
【考案を実施するための形態】
【０００９】
従来のシートベルトの使用方法は、肩上方にあるシートベルトの取り出し口からシートベルトを取り出して反対側の腰の部分にある取り付け具を利用して、3点固定式で身体を固定する方法であるが、身長や、使用した時の不便がありました。
本考案は、シートベルトの取り出し口兼固定点を２点とし、前記取り出し口兼固定点の位置はシートに着座したときの腰付近とし、背もたれの両側にブラケットをボルト等で強固に取り付ける。ブラケットには複数個所に、シートベルトを掛ける溝を設け、前記溝は下から上方向に角度をつけて設ける。この溝にシートベルトを掛けて利用することで、身長に合せて高さ調整可能にシートベルトを装着することができる。
【産業上の利用可能性】
【００１０】
本考案のシートベルト固定方法と固定具は、工業生産が可能であり、シートに人体をベルトで固定する様々な分野で利用が可能である。
【符号の説明】
【００１１】
１−１  シートベルトの取り出し口
１−２  シートベルトの作用点
１−３  シートベルトの固定部
１−４  シートベルト
２−１  シートベルトの固定部
２−２  シートベルトの作用点
２−３  シートベルトの作用点
３−４  シートベルトの取り出し口
２−５  高さ調整用のブラケット
２−６  高さ調整用のブラケット
２−７  シートベルト
【図１】
0003164645.tif 000003
【図２】
0003164645.tif 000004
(57)【要約】      （修正有）【課題】中空の取手を備えた急須に関し、洗浄した際に中空の取手の孔から洗浄水が内部に浸入して内部に溜まった水を、良好に流出できるようにした急須を提供する。【解決手段】容器本体１に接合して形成された中空の取手部３において、取手の内部に浸入した洗浄水が容易に排出できるように、中空の取手３の下方の最下部の位置には、容器本体１と取手の接合面に沿って、空気抜き用の孔部５を形成する。取手部３は内部に浸入した洗浄水が、取手の下方に形成した孔に流れるようにするため、容器本体１との接合面に対して、先端部を高くして傾斜させる。また、孔部５は取手の内部に溜まった洗浄水が全て流出できるようにするため、容器本体１と取手部３の接合面において、取手下方の最下部の位置に容器本体１の外側面に沿って幅が３ｍｍ以上で、長さが２ｍｍ以上に形成する。【選択図】図２
0003164618.tif 000002
【実用新案登録請求の範囲】
【請求項１】
上部に茶葉及び液体を供給するための開口部が形成された容器本体と、同容器  本体側部には注ぎ口部及び空気抜き孔部を形成した中空取手と、前記開口部を覆う蓋で構成している急須において、前記中空取手の下方の位置に、前記容器本体の付根最下部に、空気抜き孔部を形成したことを特徴とする急須。
【考案の詳細な説明】
【技術分野】
【０００１】
本考案は、中空の取手を備えた急須に関し、食器洗浄乾燥機で洗浄した際に中空の取手の孔から洗浄水が内部に浸入し、内部に溜まった洗浄水を良好に流出できるようにした急須を提供する。急須は煎茶を淹れるのに限らず、紅茶や中国茶を淹れるポットも含まれる。
【背景技術】
【０００２】
急須は茶を注ぐ際に使用される道具として、陶磁器製のものが古くから現在に至るまで広く使用されている。
【０００３】
陶磁器製の一般的な急須の取手は、焼成による垂れ下がりを防止するために中空構造に形成され、且つ焼成による空気の膨張による破裂を防止するために、空気抜き用の孔が設けてある。
【０００４】
例えば、一般的な陶磁器製の急須は茶葉を湯に浸すことができる容器本体と注ぎ口、取手および蓋で構成され、容器本体に接合された中空取手の下方には、容器本体との接合部から約１ｃｍ離れた箇所に直径が１mm〜３mm程度の孔が設けてある。
【考案の概要】
【考案が解決しようとする課題】
【０００５】
このような従来の陶磁器製の急須を食器洗浄乾燥機で洗浄した場合、洗浄水は取手の孔から浸入し、取手に形成された孔の下方内部に溜まってしまい、その乾燥に何日もの時間を要する欠点があり、非衛生的であった。
【０００６】
本考案の課題は、食器洗浄乾燥機による洗浄と乾燥が一般の碗や皿と同じ時間で実現させることができる衛生的な急須を提供することである。
【課題を解決するための手段】
【０００７】
上記目的を達成するため、上部に茶葉及び液体を供給するための開口部が形成された容器本体と、同容器本体側部には注ぎ口及び空気抜き孔を形成した中空取手と、前記開口部を覆う蓋で構成した急須において、前記中空取手の下方の位置で、且つ前記容器本体の付根最下部に、空気抜き孔を形成したことを特徴とする急須である。具体的には、食器洗浄乾燥機で洗浄した際、取手の内部に浸入した洗浄水が容易に排出できるように、中空の取手の下方の最下部の位置には、容器本体と取手の接合面に沿って、空気抜き孔が幅３mm以上で長さが２mm以上の大きさに形成した。
【考案の効果】
【０００８】
本考案の急須によれば、食器洗浄乾燥機による洗浄作業において、取手部の内部に浸入した洗浄水が容易に排出でき、乾燥を一般の碗や皿と同じ時間で実現させることができた。
【図面の簡単な説明】
【０００９】
【図１】本考案に係る実施例の急須を示す斜視図である。
【図２】本考案に係る実施例の急須を示す断面図である。
【考案を実施するための形態】
【００１０】
図１から図２を参照して、本考案を実施するための最良の形態について説明する。
【００１１】
この急須の取手部３は、焼成による垂れ下がりを防止するために中空構造に形成し、且つ焼成での空気の膨張による破裂を防止するために、空気抜き用としての孔部５を形成した。
【００１２】
この孔部は、食器洗浄乾燥機による急須の洗浄作業において、取手部３の内部に浸入した洗浄水が容易に排出でき、乾燥を一般の碗や皿と同じ時間で実現可能にするため、容器本体１と取手部３の接合面において、取手下方の最下部の位置に容器本体１の外側面に沿って形成した。
【００１３】
また、取手部３の内部に浸入した洗浄水が、前記取手下方の最下部に形成した孔に流れるようにするため、取手部３は容器本体１との接合面に対して、先端部を高くした。
【００１４】
従って、食器洗浄乾燥機で洗浄した際に、洗浄水が中空の取手孔部５から取手部３の内部に浸入して溜まった洗浄水を全て良好に排出させることができた。
【実施例】
【００１５】
本実施例は、図１及び図２に示すように、容器本体１と注ぎ口部２、取手部３および蓋体４からなる急須である。
【００１６】
以下、本考案に係る実施の形態を添付の図面に基づいて説明する。図１は急須の斜視図を示し、図2は急須の断面図を示したものでる。
【００１７】
急須は、上部に茶葉及び液体を供給するための開口部６が形成された容器本体１と側部には注ぎ口部２及び空気抜き用としての孔部５を具備した中空の取手部３を形成し、開口部６を覆う蓋体２で構成している。
【００１８】
容器本体１に接合して形成された中空の取手部５において、食器洗浄乾燥機で洗浄した際、取手の内部に浸入した洗浄水が容易に排出できるように、中空の取手３の下方の最下部の位置には、容器本体１と取手の接合面に沿って、空気抜き用の孔部５を形成している。
【００１９】
取手部３は内部に浸入した洗浄水が、取手の下方に形成した孔に流れるようにするため、容器本体１との接合面に対して、先端部を高くして傾斜させた構造である。
【００２０】
傾斜の角度は、必要以上に大きくする必要はなく、取手の内部に溜まった洗浄水が下方に設けた孔部５に流れる程度あればよい。
【００２１】
また、孔部５は取手の内部に溜まった洗浄水が全て流出できるようにするため、容器本体１と取手部３の接合面において、取手下方の最下部の位置に容器本体１の外側面に沿って幅が３mm以上で、長さが２mm以上に形成する。
【００２２】
なお、幅が３mm未満で、長さが２mm未満では、取手部３の内部に溜まった洗浄水がスムーズに流出でき難くなるためである。
【００２３】
また、孔部５の開口部形状は円弧や四角に限定されるものでなく、洗浄水が容易に排出される形状と大きさであればよい。本実施例では茶葉を用いたが、紅茶や中国茶を用いても良く、急須に代えてポットに適用しても良い。
【符号の説明】
【００２４】
１容器本体  
２注ぎ口
３中空取手
４蓋
５空気抜き孔
６開口部
【図２】
0003164618.tif 000003
【図１】
0003164618.tif 000004
(57)【要約】      （修正有）【課題】力が入り易くなり、力のロスを最小限に抑えられる履物を提供する。【解決手段】履物の底の形状を後ろ側から前側へと、外側から内側への両方向に下り勾配をつける。【選択図】図１
0003164713.tif 000002
【実用新案登録請求の範囲】
【請求項１】
履物の底の形状を後ろ側から前側へと、外側から内側への両方向に下り勾配をつけた形状を特徴とする履物。
【考案の詳細な説明】
【技術分野】
【０００１】
本考案は、力のロスを最小限に抑えるための履物に関するものである。
【背景技術】
【０００２】
従来の履物の底の形状には、外側から内側にのみ傾斜をつけた物がある。（例えば特許文献１、又は特許文献２参照）。
【先行技術文献】
【特許文献】
【０００３】
【特許文献１】特開２００１−１７２０２号広報
【特許文献２】実開平６−００９５０７号広報
【考案の概要】
【考案が解決しようとする課題】
【０００４】
足腰が弱くなって歩幅が狭くなった方から、トップアスリートの方まで、力のロスを最小限に抑えられる履物。例えば、膝が外側に開いたり、内側によったりして、力が逃げてしまうと力のロスが大きくなってしまい、思うように力が伝わらないため、しっかりと踏み込むことが出来ない。
【課題を解決するための手段】
【０００５】
履物の底の形状を後ろ側から前側へと、外側から内側への両方向に下り勾配をつけることにより、膝が外側に開いたり、内側によったりしにくく成るので、力のロスを最小限に抑えられる。
【考案の効果】
【０００６】
履物の底の形状を後ろ側から前側へと、外側から内側への両方向に下り勾配をつけることにより、自然と、体幹に力が入り易くなり、力のロスを最小限に抑えられる。
【図面の簡単な説明】
【０００７】
【図１】立体図
【図１】
0003164713.tif 000003
【手続補正書】
【提出日】平成22年10月8日(2010.10.8)
【手続補正１】
【補正対象書類名】図面
【補正対象項目名】図１
【補正方法】変更
【補正の内容】
【図１】
0003164713.tif 000004
(57)【要約】      （修正有）【課題】水引を使用し、かつ、装着が簡便なミサンガを提供する。【解決手段】帯状の飾り紐部１１と、この帯状の飾り紐部１１の両端部１１ａ、１１ｂに設けられこの帯状の飾り紐部１１をリング状に支持するための結着部からなる。帯状の飾り紐部１１が水引１４，１５，１６で形成され、さらに結着部を弾性材料で形成する。【選択図】図３
0003164703.tif 000002
【実用新案登録請求の範囲】
【請求項１】
帯状の飾り紐部と、この帯状の飾り紐部の両端部に設けられこの帯状の飾り紐部をリング状に支持するための結着部からなるミサンガにおいて、
少なくとも帯状の飾り紐部が水引で形成されたことを特徴とするミサンガ。
【請求項２】
上記結着部が、弾性材料より構成されたことを特徴とする請求項１記載のミサンガ。
【考案の詳細な説明】
【技術分野】
【０００１】
本考案は、手首または足首に巻きつけて使用する、縁起担ぎ用装飾品すなわちミサンガに関し、特に、水引を主材料として構成されたミサンガに関する。
【背景技術】
【０００２】
ミサンガとは、手芸の組み紐の一種である。そして、願いごとをしてから、手首または足首に巻きつけて、紐が自然に切れた時にその願いごとがかなうという縁起担ぎ（願掛け）に使用されることが多い。
【０００３】
そして、従来、ミサンガを構成する素材としては、刺繍糸、皮ひも、金属チェーンなど様々なものが用いられている。
【考案の概要】
【考案が解決しようとする課題】
【０００４】
上述したように、ミサンガは縁起担ぎ（願掛け）用に用いられることが多いが、本来、手首や足首に巻きつけて使用されるので、いわば、装飾品の要素も強い。したがって、外観も美麗であることが好ましい。
【０００５】
一方、水引は、古来から金封、結納品の飾り、正月飾り、動物や花などを模った置物などに利用されている、和紙でできた紐状の素材である。
【０００６】
しかしながら、水引きで構成されたミサンガは未だ提案されていなかった。
【０００７】
そこで、本考案は、上述した問題点に鑑みて案出されたものであり、その目的とするところは、水引きを主材料として使用したミサンガを提供することにある。
【課題を解決するための手段】
【０００８】
本願請求項１記載のミサンガは、上述した課題を解決するために、帯状の飾り紐部と、この帯状の飾り紐部の両端部に設けられ帯状の飾り紐部をリング状態にして支持するための結着部からなるミサンガにおいて、少なくとも帯状の飾り紐部が水引で形成されたことを特徴とする。
【０００９】
本願請求項２記載のミサンガは、請求項１記載の考案において、上記結着部が弾性材料より構成されたことを特徴とする。
【考案の効果】
【００１０】
本考案に係るミサンガは、帯状の飾り紐部と、この帯状の飾り紐部の両端部を結合させてリング状に支持するための結着部からなるミサンガにおいて、少なくとも帯状の飾り紐部が水引で形成されている。水引は和紙のこよりに糊をひき、乾かして固めたものである。細い紐状であるため、様々な編み方が可能であり、発色も美しく装飾性が高い。さらに、紙製であるため適当な期間のうちに水分などの影響で強度が劣化し、切れることになる。つまり、切れると願いが叶うという願掛けに使用されるミサンガとして好適な素材である。
【００１１】
更に本考案では、上記結着部を弾性材料、例えば、ゴムなどで形成することにより、最初から飾り部分をリング状に保持することができ、手首または足首への装着が簡便になる。
【図面の簡単な説明】
【００１２】
【図１】本考案の第１の実施形態に係るミサンガの全体構成を示す平面図である。
【図２】本考案の第２の実施形態に係るミサンガの全体構成を示す平面図である。
【図３】本考案の第３の実施形態に係るミサンガの全体構成を示す斜視図である。
【考案を実施するための形態】
【００１３】
以下、本考案を適用したミサンガについて、図面を参照しながら詳細に説明をする。
【００１４】
図１は、本考案の第１の実施形態に係るミサンガ１の全体構成を示す平面図である。このミサンガ１は、帯状の飾り紐部１１と、その両端に設けられた結着部１２，１３から構成されている。飾り紐部１１は、例えば、３色の水引１４，１５，１６から構成される。芯となる水引１４に対し、他の２本の水引１５、１６により結び目が連続して作られ、全体として飾り紐部１１が形成される。飾り紐部１１から左右に延出した水引１４はそのまま結着部１２，１３となる。飾り紐部１１の両端では、３本の水引１４〜１６がほどけないように固定金具１７，１８により固定している。
【００１５】
この実施の形態においては、飾り部分にはマクラメ編みが適用されている。しかしながら、飾り紐部１１はこの編み方に限定されるものではなく、三つ編み、捻り編み、平編みなど、様々な編み方を適用することが可能である。このミサンガを装着する場合、飾り紐部１１を手首または足首に巻きつけ、好みの長さとなるように結着部１２，１３を結ぶ。
【００１６】
図２は、本考案の第２の実施形態に係るミサンガ２の全体構成を示す平面図である。図２において、図1と同一の符号は、同一の構成要素を表す。このミサンガ２は飾り紐部１１のほぼ中央に装飾体２１が固定されている。装飾体２１は、特に限定されるものではなく、例えば、ガラスビーズ、プラスチックビーズ、石、木、金属などを用いることができる。このような装飾体を追加することにより、装飾品としての外観を更に高めることができる。また、装飾体２１として、パワーストーン、誕生石などを使用すると「お守り」のような機能を持たせることも可能である。
【００１７】
図３は、本考案の第２の実施形態に係るミサンガ３の全体構成を示す斜視図である。図３において、図１と同一の符号は、同一の構成要素を表す。このミサンガ３は、飾り紐部１１の両端部１１ａ、１１ｂがゴムひも３１により結合され、最初からリング状に支持されている。このミサンガ３は、ゴムひも３１が伸縮するため、リング状のまま手首または足首に装着できるので、紐を結ぶ手間が掛からず取り扱いが簡便である。
【符号の説明】
【００１８】
１、２、３  ミサンガ
１１  飾り紐部
１２、１３  結着部
１４，１５，１６  水引
２１  装飾体
３１  弾性材料（ゴムひも）
【図１】
0003164703.tif 000003
【図２】
0003164703.tif 000004
【図３】
0003164703.tif 000005
(57)【要約】      （修正有）【課題】家庭の生ゴミを堆肥化してゴミを減らすとともに、その堆肥を利用して誰でも手軽に有機野菜栽培が楽しめる装置を提供する。【解決手段】生ゴミを堆肥化する容器と野菜を育てるプランターを一体化した栽培装置でベランダ等に設置できる大きさとする。一体化された容器は上部を仕切でプランター室と堆肥生成室に仕切られるが、下部はつながり堆肥の養分はプランター室にも浸透する。容器の底面に傾斜をつけ、蛇口から染み込んだ雨水に堆肥や土の中の養分が溶け込んだ液肥を取り出せるようにする。【選択図】図１
0003164722.tif 000002
【実用新案登録請求の範囲】
【請求項１】
堆肥を作る容器とプランターを一体化し有機栽培を行う栽培装置であって、一体化された容器は仕切によって堆肥生成部とプランター部に仕切られているが、仕切は上層のみとし、下層は仕切らないことで堆肥の養分が下層部を通って全体に浸透する構造の容器を持った栽培装置。
【請求項２】
請求項1の栽培装置で、容器の底面に傾斜を持たせ、傾斜の低い側には蛇口をつけることにより、土の中の養分が溶け込んだ水を液肥として取り出せる構造を持った栽培装置。
【請求項３】
ベランダ、バルコニー等に設置できる大きさで、請求項1、２に掲げた構造を持った栽培装置。
【考案の詳細な説明】
【技術分野】
【０００１】
本考案は生ゴミを堆肥化し有機栽培を行う装置に関するものである。
【背景技術】
【０００２】
畑が無くても栽培ができるよう、ベランダ等に設置できる小型の栽培装置として特許文献１、特許文献２等の様々な発明がある。
【０００３】
一方、家庭用の生ゴミ処理、堆肥化装置に関しては特許文献３、特許文献４をはじめとする装置が発明されている。
【０００４】
考案者は、本考案に先立ちビニールハウスで雨水を溜めて作物に供給する装置として特許文献５を考案した。
【先行技術文献】
【特許文献】
【０００５】
【特許文献１】特許公開２０１０−１９３７７１  園圃栽培装置
【特許文献２】特許公開２００４−３３７０５３  植物栽培装置
【特許文献３】特許公開２００７−５５８２６  家庭ゴミの堆肥化装置と堆肥化方法
【特許文献４】特許公開２００３−６２５４６  家庭用生ゴミ処理装置
【特許文献５】実用新案出願２０１０−００４８７９  雨水貯水装置
【考案の概要】
【考案が解決しようとする課題】
【０００６】
家庭菜園で野菜栽培を楽しむ人が増えている。自分の食べる野菜を自分で作ることは育てて食べる喜びとともに食の安心、安全につながることである。
その一方で場所が無くてできないという人もいるため、ベランダ、バルコニーに設置し手軽に有機栽培を行うことができる装置を提供する。
【０００７】
家庭における生ゴミの処理方法として堆肥にする方法があるが、使い道が無ければはじめからゴミとして捨てるしかない。本考案の有機栽培装置により生ゴミの減量につなげる。
【課題を解決するための手段】
【０００８】
家庭の生ゴミから堆肥を作る容器と野菜を育てるプランターを一体化した栽培装置を作る。装置はベランダなどに設置できる大きさとする。
土を入れる容器は上部を仕切り板によってプランター室と堆肥生成室に分けるが、下部はつながっていて堆肥の養分はプランター室にも浸透する。
堆肥は水分が多いと発酵が妨げられるため雨がかからないようカバーを付ける。寒い季節の風よけや野菜の霜害を防ぐためカバーは全体に被せる。
カバーによって野菜には雨水があたらなくなるため、雨水を取り入れて野菜に供給する装置を付ける。その方法としてカバーの骨組みをパイプで作り上部に穴を開け雨水を集める漏斗を付ける。雨水は漏斗からパイプ内を流れ落ち、プランター室の土に染み込む。
土に染み込んだ雨水には堆肥や土の中の養分が溶け込み液肥として利用できる。そこで、容器の底面に傾斜をつけ、蛇口から取り出せるようにする。
【考案の効果】
【０００９】
これまで生ゴミ堆肥化装置と栽培装置を一体化したものは無かった。
菜園を行う場所が無かった人にとっては堆肥化装置だけあっても意味が無かったが、本考案は栽培装置と一体でありベランダ、バルコニーなどを利用して手軽に有機栽培を行なうことができる。
【００１０】
生ゴミから堆肥を作り利用することによって生ゴミの減量につながる。
家庭用の生ゴミ堆肥化装置は撹拌、加熱（保温）などのためにエネルギーを必要とするものが多いが、本考案の装置は微生物の自然の力によるもので、エネルギーは必要ない。
【００１１】
カバーを付けると雨水が植物にかからないため水遣りの手間が増えるが、本考案の装置ではそのような問題は無い。また、堆肥生成室から養分が供給され追肥などの作業も減らすことができる。
【００１２】
本装置で使われた土、作られた堆肥、液肥は他の場所でも使うことができ、有機栽培を広めることにつながる。
【図面の簡単な説明】
【００１３】
【図１】本装置の正面図
【図２】本装置の側面図
【考案を実施するための形態】
【００１４】
プランタータブユニット１は堆肥を作る容器とプランターを一体化したものである。内部に仕切板２を付け、一方をプランター室３、もう一方を堆肥生成室４とする。仕切板２は上部を仕切っているが、下部はつながっている。堆肥７の養分は土５の中をプランタータブユニット１内全体に浸透する（８）。
【００１５】
装置前面は透明樹脂製の扉９を付け、作物の世話、生ゴミ投入ができるようにする。上面、側面、後面は透明樹脂フィルムのカバー１０を付けるが、温度調整・通風のため側面、後面は開けることができるようにする。
【００１６】
雨水の供給は雨水取入ユニット１１及び雨水供給ユニット１２によって行う。
雨水取り入れユニット１１は雨水を集める漏斗となるものであり、雨水供給ユニット１２は入ってきた雨水をプランター室３に流すためのパイプを組んだものである。
雨水供給ユニット１２は扉９、カバー１０を取り付ける骨組みにもなっている。
【００１７】
雨水取入ユニット１１にペットボトル等の容器の底を切り取ったものを使うと、雨水が多い時には上まで溜まりタンクとしての機能も持つ。カバー１０に穴を開け、雨水供給ユニット１２に取り付ける。
【００１８】
雨水供給ユニット１２は雨水がプランター室３側に流れるよう上部のパイプに傾斜をつける。また堆肥生成室４側に流れないようパイプの内部を栓１３でふさぐ。
流れ落ちた水１４はパイプの底や側面に空けた穴１５から徐々に土５に染み込む。
【００１９】
染み込んだ水には堆肥７や土５の中の養分が溶け込むため液肥として利用できる。これを取り出せるよう、プランタータブユニットの底面に傾斜を付ける。水分は徐々に堆肥生成室４側に流れ、蛇口１６から取り出す。
【符号の説明】
【００２０】
１…プランタータブユニット
２…仕切り板
３…プランター室
４…堆肥生成室
５…土
６…作物（野菜）
７…堆肥
８…堆肥の養分が浸透
９…扉（透明樹脂板）
１０…カバー（透明樹脂フィルム）
１１…雨水取入ユニット
１２…雨水供給ユニット
１３…パイプ内部の栓
１４…水（雨水）の流れ
１５…柱側面の穴
１６…蛇口
１７…キャスター
１８…取っ手
【図１】
0003164722.tif 000003
【図２】
0003164722.tif 000004
(57)【要約】      （修正有）【課題】バッグなどをその上に載せ、現金や書類を出し入れする時、忘れ物が生じないような物置台を提供する。【解決手段】ＡＴＭの前にかばんなどを載せる台を、マジックテープ（登録商標）で固定する。【選択図】図１
0003164728.tif 000002
【実用新案登録請求の範囲】
【請求項１】
ＡＴＭ（現金自動預け払い機）の前にカバンなどを載せる台をマジックテープ（登録商標）などで取り付けて、忘れ物を防止する台。
【考案の詳細な説明】
【技術分野】
【０００１】  ＡＴＭの前にハンドバッグやカバンを載せて、操作する時に使う、通帳、印鑑、カード、書類等を出し入れするための物置台であるが、忘れ物をしないために、マジックテープ（登録商標）を用いて固定したことにより、物を載せると不安定に感じ、意識がカバンに集中することで忘れ物がなくなる物置台。
【背景技術】
【０００２】  ＡＴＭを操作するにあたり、今まではハンドバッグやカバンを置く台がＡＴＭの正面に無かった。（写真１）物置台があれば便利になることは分かっていたが設置しなかった。その理由は、バッグやカバンを忘れて帰ってしまった時、物置台があるから物を載せてしまい、そのため忘れたのだと責任転嫁させられるためである。バッグなどを忘れたりした時のトラブルを防止し、ユーザーの自己責任にしてもらうため、物置台を準備しなかった。
【先行技術文献】
【０００３】
【非特許文献】
【非特許文献】  「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【０００４】  ユーザーの利便性を考えると、ＡＴＭの前に物置台を置き、それにカバンなどを載せて、カバンを開けたままお金や書類を取り出してＡＴＭ操作をして、操作が終了したらカバンを閉じれば、安全で、かつ、事故が少ないことになる。カバンや書類などを忘れずに持って帰ってもらうために、物置台はカバンなどがはみ出るように小さくし、わざと不安定にして、ユーザーの体（腹）でカバンを押さえながら操作する大きさにする。と同時に、物置台をマジックテープ（登録商標）でＡＴＭの本体と固定する。マジックテープ（登録商標）で留めているため、力を入れると多少動くので、カバンに神経が集中し、忘れ物防止につながる。ＡＴＭのメンテナンスをする時は、マジックテープ（登録商標）であるため簡単に着脱ができ、物置台を動かしてＡＴＭの扉を開け、終ったら元に戻してマジックテープ（登録商標）で留める。飛行場も自動搭乗券売機の全面パネルに固定式物置台（写真２）が付いているが、しっかり券売機と一体になっているため、無意識にカバンを載せ、忘れ物が発生した事例がある。
【考案が解決しようとする課題】
【０００５】  ＡＴＭを利用する際、お金や通帳やカードなどの貴重品を安全に保護し、かつ、ＡＴＭの操作がしやすく、短時間で安全に操作をするための物置台をつくるためのネックは、忘れ物が生じた時にどのような対応をするかであった。したがって、忘れ物ができないような物置台を考えることが必要であった。
【課題を解決するための手段】
【０００６】  忘れ物をしないためには、物を置くと不安定に感じられ、物を置いたということを印象付けることによって忘れ物を防止することである。そのために、物置台を小さくし、かつ、不安定に感じさせるために、固定をビスなどで行わず、力を入れると多少ずれが生じるマジックテープ（登録商標）で行うことにした。
【考案の効果】
【０００７】  写真３と写真４は、物置台のないＡＴＭの操作を撮影したものである。物置台がないと、写真４のようにかばんを床に置かなければならない。また、写真３のように操作画面の上でカバンを開けて現金の出し入れをしなければならず、ＡＴＭ操作をする時、カバンが邪魔になる。ＡＴＭの前の物置台は大変便利であり、かつ、操作時間が短縮されるため、長時間並んだりＡＴＭの数を少なくすることが可能であると予測している。かつ、忘れ物がなくなったり忘れ物をしないということになるので、銀行などが普及に積極的になり消費者の利便性が増す。
【図面の簡単な説明】
【０００８】
【図１】  斜視図  １１ａは物を載せる部分である。１２ａ及び１２ｂは脚であるが、この１２ａ、１２ｂにマジックテープ（登録商標）を付けＡＴＭとジョイントする。１３ａ及び１３ｂは、ＡＴＭに付けたマジックテープ（登録商標）である。１１ａのテーブルトップの大きさは、ハンドバッグやカバンがはみ出す大きさである必要があり、奥行きが２０ｃｍ以下、幅が６０ｃｍ以下にする。
【考案を実施するための形態】
【０００９】  図１をＡＴＭの前に置いて、位置を決めてマジックテープ（登録商標）の凸をＡＴＭに取り付け（１３ａ、１３ｂ）、物置台の脚１２ａ、１２ｂに取り付けているマジックテープ（登録商標）の凹に合わせて設置する。ＡＴＭのメンテナンスがある場合は、マジックテープ（登録商標）をはずして物置台本体を移動させてＡＴＭの扉の開閉を行う。
【符号の説明】
【００１０】  １１ａ            テーブルトップ
１２ａ・１２ｂ    脚及びマジックテープ（登録商標）装着部
１３ａ・１３ｂ    ＡＴＭ本体にマジックテープ（登録商標）を取り付ける部分
【図１】
0003164728.tif 000003
(57)【要約】【課題】  軽量化により取扱いが容易であり、踵等の状態及び使用者に合わせて角質落しの交換が容易な角質落し具を提供する。【解決手段】  把持部２と該把持部２から延長された扁平状の延長部３の両側面に角質落しの貼着面を形成した中空の本体部１と、前記貼着面に貼り替え自在の角質落し４、５と、からなり、好ましくは、前記角質落し４、５がサンドペーパーであり、前記貼り替え自在手段が面ファスナー６、７であり、前記角質落し４、５の貼着面の一方が湾曲面に、他方が平滑面に形成されてなる角質落し具。【選択図】    図１
0003164724.tif 000002
【実用新案登録請求の範囲】
【請求項１】
把持部と該把持部から延長された扁平状の延長部の両側面に角質落しの貼着面を形成した中空の本体部と、前記貼着面に貼り替え自在の角質落しと、からなることを特徴とする角質落し具。
【請求項２】
前記角質落しがサンドペーパーであることを特徴とする請求項１に記載の角質落し具。
【請求項３】
前記角質落しの貼り替え自在手段が面ファスナーであることを特徴とする請求項1又は２に記載の角質落し具。
【請求項４】
前記角質落しの貼着面の一方を湾曲面に、他方を平滑面に形成したことを特徴とする請求項１，２又は３に記載の角質落し具。
【考案の詳細な説明】
【技術分野】
【０００１】
本考案は、踵、肘あるいは膝などの角質を除去する角質落し具に関する。
【背景技術】
【０００２】
従来、取付基板に微細な凹凸部を有する擦り部を設け、肘、踵、膝等の硬い角質層を擦ってざらついた肘、踵、膝を滑らかに研磨できる垢擦り具が提供されている（登録実用新案第３０５５０４７号公報）。また、ゴムの板をサンドペーパーで挟んで、踵をスムーズに削り易くした踵角質層削り器が提案されている（登録実用新案第３１１３３６７号公報）。
【先行技術文献】
【特許文献】
【０００３】
【特許文献１】登録実用新案第３０５５０４７号公報
【特許文献２】登録実用新案第３１１３３６７号公報
【考案の概要】
【考案が解決しようとする課題】
【０００４】
前記垢擦り具は、取付基板が檜、バナナ、ポプラ等の木材で構成されている。また、前記踵角質層削り器は、ゴム（板）で構成されている。
【０００５】
本考案は、本体部を中空に形成して軽量化を図り取扱いを容易にし、さらに踵、肘あるいは膝等（以下単に「踵等」という。）の状態及び使用者に合わせて角質落しの交換を容易にした角質落し具を提供することを目的とする。
【課題を解決するための手段】
【０００６】
前記課題を解決するため、本考案に係る角質落し具は、把持部と該把持部から延長された扁平状の延長部の両面に角質落しの貼着面を形成した中空の本体部と、前記角質落しの貼着部に貼り替え自在の角質落しと、からなることを特徴とする（請求項１）。
【０００７】
前記構成により、本体部が軽量化されて取扱いが容易である。この軽量化は、個人の使用はもとより業務として角質落しサービスを行なう業者にとって労力の軽減に役立つ。また、前記構成により、除去する角質の状態及び使用者に合わせて角質落しを交換及び張り替えて使用することができるため効率的な角質落しを行なうことができる。また、角質落しが消耗して捨てた場合にも本体部はそのまま使用することができ無駄を生じることがない。
【０００８】
本考案の実施の一形態は、前記角質落しがサンドペーパーであることを特徴とする（請求項２）。この構成によれば、数種類の角質落し効果を有するサンドペーパーを容易に準備することができ、また、貼着面に対する貼り替えも容易である。
【０００９】
本考案の実施の一形態は、前記角質落しの貼り替え自在手段が面ファスナーであることを特徴とする（請求項３）。この構成によれば、前記角質落しの貼り替えをワンタッチで行なうことができる。
【００１０】
本考案の実施の一形態は、前記角質落しの貼着面の一方を湾曲面に、他方を平滑面に形成したことを特徴とする（請求項４）。この構成によれば、使用個所に合わせて両面を使い分けで効率的な角質落しを行なうことができる。
【考案の効果】
【００１１】
本考案によれば、本体部が中空に形成されて軽量化が図られ取扱いが容易であり、さらに踵等の状態及び使用者に合わせて角質落しの交換が容易である効果が得られる。
【図面の簡単な説明】
【００１２】
【図１】本考案の実施の一形態に角質落し具の分解及び一部切欠斜視図である。
【図２】延長部の断面図である。
【考案を実施するための形態】
【００１３】
以下、添付図面を参照して、本考案の実施の一形態について説明する。図１において、１は本体部であり、該本体部１は、把持部２と該把持部２から延長された扁平状の延長部３からなり全体が中空に形成される。該本体部１の中空形成はプラスチックのブロー成型により容易に可能である。
【００１４】
つぎに、前記扁平状の延長部３の両側面にそれぞれ後に述べる角質落し４及び５の貼着面が形成される。図面実施例では、前記貼着面の形成は前記延長部３の両側面に貼着した面ファスナー６及び７によって形成されている。
【００１５】
なお、図面実施例では、前記延長部３の一方の側面が湾曲面とされ、他方の側面が平滑面とされている。したがって、一方の貼着面、すなわち、面ファスナー６部が湾曲面とされ、他方の貼着面、すなわち、面ファスナー７部が平滑面に形成されている。
【００１６】
前記角質落し４及び５は、適宜砥粒の粒度が調整されたサンドペーパーであり、例えば、一方の角質落し４がソフトタイプ、他方の角質落し５がハードタイプ等に形成される。
【００１７】
つぎに、前記角質落し４及び５の貼り替え自在手段について説明する。図面実施例では、前記角質落し４及び５の裏面にそれぞれ不織布８及び９を貼着し、前記本体部１の前記延長部３の両側面に設けた面ファスナー6及び７とそれぞれ係合するように構成されている。前記構成によれば、張り替え時の角質落しの分離に強い力を必要としないものである
なお、図中、１０は前記把持部２に一体成型された滑り止め、１１は吊下げ用孔である。
【符号の説明】
【００１８】
１    本体部
２    把持部
３    延長部
４，５  角質落し
６，７  面ファスナー
８，９  不織布
【図１】
0003164724.tif 000003
【図２】
0003164724.tif 000004
(57)【要約】      （修正有）【課題】ソーラー発電パネルの据付けにおいて、限られた場所、空間を利用して、既存構造物や、砂漠でも設置できる架台を提供する。【解決手段】土中アンカーとターンバックルで緊張固定した溶融亜鉛メッキ型鋼による支柱を複数備え、その支柱間を四角状にワイヤーロープ３を張り、その上に溶融亜鉛メッキ撚り線による金網４をコイルジョイント７で取り付けて固定し張り、金網４に２本の帯鋼１０をくぐらせて並行に取付け、その上にソーラー発電パネル５の台座８をボルト・ワッシャーで締結し取付け、その台座８の上にソーラー発電パネル５を設置する。【選択図】図２
0003164726.tif 000002
【実用新案登録請求の範囲】
【請求項１】
土中アンカー６とターンバックル２で緊張固定した溶融亜鉛メッキ型鋼による支柱１を複数備え、その支柱間を四角状にワイヤーロープ３を張り、その上に溶融亜鉛メッキ撚り線による金網４をコイルジョイント７で取り付けて固定し張り、金網４に２本の帯鋼１０をくぐらせて並行に取付け、その上にソーラー発電パネル５の台座８をボルト・ワッシャー９で締結し取り付け、その台座８の上にソーラー発電パネル５を設置するようにしたことを特徴とするソーラー発電パネル設置用架台。
【考案の詳細な説明】
【技術分野】
【０００１】本発明は、ソーラー発電パネルの取付設置の為の架台の材質及び構造を考慮し、建屋の壁、屋上屋根、平地、河川、湖沼、高架道路、掘割道路、盛土道路、砂漠等の空間を利用し設置出来る安価且つ強度な構造のソーラー発電パネル設置用架台に関する。
【背景技術】
【０００２】本来この技術は、地球規模のコンセンサスで低炭素社会招聘の為に、石油、石炭の化石燃料エネルギー転換からソーラー発電設備の設置が要望され、社会的ニーズが高まっている。ソーラー発電パネルの据付けには比較的に広いスペースが要求されるが、限られた場所、空間を利用して、既存構築物や、砂漠でも設置できる架台を提供するものである。
【先行技術文献】
【特許文献】
【０００６】
【特許文献１】特開２００５−６４１４７公報
【考案の概要】
【考案が解決しようとする課題】
【０００３】ソーラー発電パネル設置用架台の材質は、軽くて強度があり且つ耐久性が要求され、その上ソーラー発電パネルが高価なので架台は比較的安価でなければならない。【０００４】屋外暴露での悪条件の設備なので、電気絶縁性、耐風圧、耐積雪、耐候性が要求され、鋼材、取付金具、ワイヤーロープ、緊張金具、金網などの複合構造で軽量化し、既存構築物、基礎の負荷を軽減する。【０００５】各種、各メーカー製のソーラー発電パネルの取付設置に対応出来る架台である。
【課題を解決するための手段】
【０００６】土中アンカー６とターンバックル２で緊張固定した溶融亜鉛メッキ型鋼による支柱１を複数備え、その支柱間を四角状にワイヤーロープ３を張り、その上に溶融亜鉛メッキ撚り線による金網４をコイルジョイント７で取り付けて固定し張り、金網４に２本の帯鋼１０をくぐらせて並行に取付け、その上にソーラー発電パネル５の台座８をボルト・ワッシャー９で締結し取付け、その台座８の上にソーラー発電パネル５を設置する様にしたことを特徴とするソーラー発電パネル設置用架台。
【考案の効果】
【０００７】現行電気料金と比較して、ソーラー発電料金は高いので、ソーラー発電システムを支える架台設置を安くし発電システムの普及促進を図れる。
【図面の簡単な説明】
【０００８】
【図１】本考案のソーラー発電パネル設置用架台のシステム構成
【図２】本考案のソーラー発電パネル設置用架台の取付構成
【図３】本考案のソーラー発電パネルの台座の取付構成  （ａ）台座の帯鋼への取付  （ｂ）金網をくぐらせた帯鋼
【考案を実施するための形態】
【０００９】図１と図２で本考案のソーラー発電パネル設置用架台の構成を説明する。
図１は本考案のソーラー発電パネル設置用架台の構成、図２は本考案のソーラー発電パネル設置架台の取付構成を示す。
土中アンカー６とターンバックル２で緊張固定した溶融亜鉛メッキ型鋼による支柱１を複数備え、その支柱間を四角状にワイヤーロープ３を張り、その上に溶融亜鉛メッキ撚り線による金網４をコイルジョイント７で取り付けて固定し張る。
【００１０】金網４に２本の帯鋼１０をくぐらせて並行に取付け、その上に、ソーラー発電パネル５の台座８をボルト・ワッシャー９で締結し取り付ける。その台座の上にソーラー発電パネル５を設置する。
【００１１】図３は本考案のソーラー発電パネル台座の取付構成である。（ａ）は台座の帯鋼への取付け（ｂ）は金網をくぐらせた帯鋼である。
図３（ａ）に示すように、ソーラー発電パネル５の台座８と、金網４にくぐらせた帯鋼１０とをボルト・ワッシャー９で締結する。図３（ｂ）に示すように、帯鋼１０を金網４にくぐらせて、動きにくいように設置している。
【産業上の利用可能性】
【００１２】本考案のソーラー発電パネル設置用架台により、ソーラー発電パネルを、広い範囲の場所があれば、容易に金網を用いて設置できる。又、本考案のソーラー発電パネル設置用架台は、比較的軽量で、強度、耐久性に優れ且つ安価なので、官民問わず広く利用が期待出来る。
【符号の説明】
【００１３】  １  支柱
２  ターンバックル
３  ワイヤーロープ
４  金網
５  ソーラー発電パネル
６  土中アンカー
７  コイルジョイント
８  台座
９  ボルト・ワッシャー
１０  帯鋼
【図１】
0003164726.tif 000003
【図２】
0003164726.tif 000004
【図３】
0003164726.tif 000005
(57)【要約】      （修正有）【課題】紙に印刷された一般のポスターを夜でも見やすくするために、内照式（後ろから光をあて、紙のポスターを光らせる）にしてポスターを光らせるポスターボードを提供する。【解決手段】ＬＥＤを使うことにより光源が小さくなり、寿命が長くなり、熱が出ない。そのため、光源をポスターに近づけられるために光の透過性が増し、熱による変色がなくなり、ポスターボードの厚みを薄くすることができ、回転や蝶番による開閉機構が簡単になる。【選択図】図２
0003164729.tif 000002
【実用新案登録請求の範囲】
【請求項１】
ＬＥＤを光源として内蔵した内照式のポスターボード。
【考案の詳細な説明】
【技術分野】
【０００１】  紙製の通常印刷されたポスターを後ろから強い光を当てて光らせるポスターボード
【背景技術】
【０００２】  ポスターを通行人の印象に残るように見てもらうために、内照式で普通紙のポスターを裏側から光を当てて光らせると同時に、よく見えるようにするために、できるだけ窓面の近くにポスターボードをつける必要がある。そのために、ポスターの取り替え時は、ポスターボードと窓面の間に人が入って取り替え作業をするのではなく、ポスターの取り付け面を回転させてポスターの取替えを行うことができるようにする。また、壁などに取り付けた場合は、通路の邪魔にならないようにできるだけ薄くする必要がある。
【先行技術文献】
【０００３】
【非特許文献】
【非特許文献】  「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【考案が解決しようとする課題】
【０００４】  店舗の外を歩いている通行人にポスターを印象付け、宣伝効果が向上するようにする。そのためには、半透明の光を通すフィルム状のシートではなく、普通紙で作られたポスターを後ろから光を当てて、光を透過させて通行人にわかるように光らせる。しかし、光源を明るくするためにたくさんの照明をポスターの後ろに仕込むと、ポスターボードが厚くなり、ポスターを取り替えるために回転させることが難しくなる。ポスターを取り替えるために、ポスターと窓面の間に人が入ってポスターを交換すると、窓面からポスターの間までを少なくとも３５ｃｍ以上あけなければならない。窓面のすぐ内側にポスターボードを設置するために、ポスターを取り替える時、回転させて後ろから取替え作業ができるようにする。壁などに取り付けた場合は回転の必要がないが、通路の邪魔にならないように薄くする必要がある。光源が切れた時の対応も考慮する必要がある。
【課題を解決するための手段】
【０００５】  内照式で普通紙に印刷されたごく普通のポスターを光らせ、なおかつ、その照明が入ったポスターボードを回転させたり、蝶番を付けて扉式にし、簡単にポスターの取り替え作業をするためにポスターボードの厚さを薄くする必要があり、そのために内蔵する光源にＬＥＤを採用する。他の蛍光などに比べて光源が小さめなため、ＬＥＤをポスターに近づけることができるため、普通紙に簡単に光を透過させることができ、かつ、ポスターボードの厚さを薄くできる。ＬＥＤを採用すると、消費電力が少なく、寿命が長い。なおかつ、光源そのものが小さいので、光源の取替え作業が大変簡単になる。また、ＬＥＤは熱が出ないので、ポスターを傷めることがなく同じポスターを取り替えずに１年以上照明の熱による変色なしで見せることが理論上可能になる。（実際は太陽光や他の照明により変色があると思われる）
【考案の効果】
【０００６】  ショーウィンドーに、カラープリントされたフィルム状のポスターではなく、普通紙に光を透過させてポスターを光らせることができると、フィルムの特殊加工することなく夜でも見やすく明るい街づくりを手軽に演出することになる。宣伝効果は抜群であるし、ポスターは紙なので簡単にカラーコピーしてつくることができる。ショーウィンドーの演出が驚異的に変化する。それは、内部の照明がＬＥＤであるために手軽に実現できるのである。ＬＥＤであるため、光源が小さくても強い光を集中的に出すことによってポスターが後ろからの光を通すことになり、かつ、小さいため、光源の取替えが容易になる。しかし、皮肉なことに光源の取替えが容易になってもＬＥＤの光源の寿命が長いため、取り替えの必要が生じるのはごく稀である。
【図面の簡単な説明】
【０００７】
【図１】  通常使われている時の斜視図
【図２】  回転させてポスターを取り替える時の斜視図
【図３】  回転させてポスターを取り替える時の斜視図  図２はポスターボードのセンターで回転をさせる斜視図である。また図３は、１２ａもしくは１２ｂの柱の側で蝶番をつけて行う方式（図３）である。取替え現場に合わせて図２か図３を選択する。
【図１】
0003164729.tif 000003
【図２】
0003164729.tif 000004
【図３】
0003164729.tif 000005
(57)【要約】【課題】  容器内の粉粒体で成る内容物を小さい穴から吐出する際に、内容物の残量等に拘わらず一定量の内容物を安定的に吐出させ得る容器を提供する。【解決手段】  粉粒体を収納する容器本体と、容器本体の上端開口部に装着される着脱自在な内蓋と、内蓋を覆う上体で容器本体の上部に装着される着脱自在な外蓋とで成る。内蓋に容器本体内の粉粒体を吐出せしめるための吐出口が所定範囲内に複数あけられている収納容器において、内蓋の裏側の穴を大きく設計することにより粉粒体が最後まで容器内に残りにくい構造とする。また、裏側の穴を表側よりも大きく設計することにより粉粒体が穴に詰まって出にくくなることを防ぐ効果もある。【選択図】図２
0003164731.tif 000002
【実用新案登録請求の範囲】
【請求項１】
粉粒体から成る内容物を収納するための容器本体と、粉粒体を吐出するための複数の孔部を有する、容器本体の上端開口部に装着される着脱自在な多孔状の内蓋と、前記容器本体の上端開口部を覆う着脱自在な外蓋を具備して成る粉粒体収納容器。
【考案の詳細な説明】
【技術分野】
【０００１】  本考案は、粉粒体で成る内容物を小さい穴から吐き出す際の容器に関するものである。
【背景技術】
【０００２】容器内の粉粒体で成る内容物を小さい穴から吐出する際、残量が少なくなった場合、安定的に吐出されにくいことがあった。
【考案の概要】
【考案が解決しようとする課題】
【０００３】容器内の粉粒体で成る内容物を吐出する際、残量が少なくなると、一定量の内容物が最後まで安定的に吐出されにくくなる。従って、容器の内蓋の設計を工夫することにより前述の欠点を解決しようとするものである。
【課題を解決するための手段】
【０００４】容器全体は、粉粒体を収納する容器本体と、容器本体の上端開口部に装着される着脱自在な内蓋と、内蓋を覆う上体で容器本体の上部に装着される着脱自在な外蓋とで成る。内蓋に容器本体内の粉粒体を吐出せしめるための吐出口が所定範囲内に複数あけられている収納容器において、内蓋の裏側の穴を大きく設計することにより粉粒体が最後まで容器内に残りにくい構造とする。また、裏側の穴を表側よりも大きく設計することにより粉粒体が穴に詰まって出にくくなることを防ぐ効果もある。
【考案の効果】
【０００５】上述の様な構造により、容器内の粉粒体を安定してスムーズに吐き出すことができる。
【図面の簡単な説明】
【０００６】
【図１】本考案の容器の内蓋を上から見た表側の面である。
【図２】内蓋を横から見た断面図である。
【図３】内蓋を下から見た裏側の面である。
【図１】
0003164731.tif 000003
【図２】
0003164731.tif 000004
【図３】
0003164731.tif 000005